(57)【要約】      （修正有）【課題】盗難防止にも役立ち、直接吊り下げ・取り付けでき、電気的にも安全な蛍光管形ＬＥＤ照明装置の落下防止装置を提供する。【解決手段】蛍光管形ＬＥＤ照明装置のアルミニューム放熱筒の放熱フィン溝に嵌め込む為の爪１１を設け、上部に凹み１４、接地端子接続ボルト１６、吊り下げ・取り付け用穴１３や半面解放長穴１５を設ける。【選択図】図３
0003164438.tif 000002
【実用新案登録請求の範囲】
【請求項１】
点灯電子回路内蔵の蛍光管形ＬＥＤ照明装置において、そのアルミニューム放熱筒の放熱フィン溝に嵌め込む為の爪１１を有することを特徴とする落下防止装置
【請求項２】
請求項１に加えて、バネ構造を持たせる為、その上部１４に凹みを持たせたことを特徴とする落下防止装置
【請求項３】
請求項１に加えて、アルミニューム放熱筒の放熱フィン溝にスライドさせて、容易に取り付け出来る半面解放長穴１５を有することを特徴とする落下防止装置
【請求項４】
請求項１に加えて、接地端子取り付け用ボルト１６を有することを特徴とする落下防止装置
【請求項５】
請求項１に加えて、天井Ｔバー吊り下げリング５を差し込んで９０度回転すれば容易にロックできる形状の穴１３を有することを特徴とする落下防止装置
【考案の詳細な説明】
【技術分野】
【０００１】本考案の内容は、蛍光管形ＬＥＤ照明装置の落下防止装置の構造に関するものである。
【背景技術】
【０００２】  従来の蛍光管のガラス管内部には水銀などが封入されている。この蛍光管が落下破損した場合、ガラスの飛散による怪我や水銀の飛散による健康被害を避けることが出来なかった。【０００３】  近年、直管型蛍光灯管に変わり、ＬＥＤ素子による蛍光管形ＬＥＤ装置が開発されるようになってきた。ガラス管球がプラスチックに変わり、落下時の破損による危険は減少したが、蛍光管形ＬＥＤ装置において、放熱機能強化の為、アルミニュームの使用によって重量が増加するものが出てきた。【０００４】  特に点灯回路が内蔵された蛍光管形ＬＥＤ装置はその重量がより増加して、従来の直管型蛍光管用の落下防止装置では、耐震対策としても、その効果は不充分であった。
【特許文献１】
【考案の開示】
【考案が解決しようとする課題】
【０００５】  従来の直管型蛍光管をアルミニューム放熱筒とポリカボネート・カバーを組み合わせたところの蛍光管形ＬＥＤ装置に交換する場合において、蛍光管形ＬＥＤ装置に付加して落下防止機能を有効にすること。【０００６】  アルミニューム放熱筒とポリカボネート・カバーを組み合わせたところの蛍光管形ＬＥＤ装置を堅固に固定出来る取付け機能を持たせること。【０００７】  従来の直管型蛍光管に比べ、蛍光管形ＬＥＤ装置は価格的に高価なものとなっているので、盗難防止にも役立つ構造にすること。【０００８】  点灯電子回路が蛍光管形ＬＥＤ装置のアルミニューム放熱筒の内部に内蔵されている場合、万一の漏電にも安全なものにすること。また発生する電磁波障害を低減こと。
【課題を解決するための手段】  以下図面により説明する。【０００９】  図２の構造図面に示す如く、蛍光管形ＬＥＤ装置２はアルミニューム放熱筒２２の中にＬＥＤ素子２３を点灯する為の電子回路が内蔵されているタイプであって、その断面が示す如くアルミニューム放熱筒２２に放熱フィン溝２４ａ、２４ｂ、２４ｃ、を備えたものである。【００１０】  図２の構造図面に示す如く、蛍光管形ＬＥＤ装置２は、そのアルミニューム放熱筒２２のフィン溝２４ａ、２４ｂ、２４ｃ、に落下防止装置１を嵌め込める構造となっている。【００１１】  図１は直管型蛍光灯照明器具３に蛍光管形ＬＥＤ装置２を取り付ける場合の図面である。落下防止装置１はスライドして自由な位置に移動することができる。【００１２】  従来の直管型蛍光灯照明器具３から、直管型蛍光管を取り外し、蛍光管形ＬＥＤ装置２に取り替えて使用する場合、図７に示す如く、形状サイズの異なる直管型蛍光灯照明器具３と蛍光管形ＬＥＤ装置２の距離ａが異なることがあるので、図８に示す三種類の高さ（１ａ、１ｂ、１ｃ）の異なる落下防止装置１を準備した。【００１３】  図３は落下防止装置１の全体図、図４は落下防止装置１の側面図、図５は落下防止装置１の上部平面図、図６は落下防止装置１の底部平面図である。【００１４】  図３の落下防止装置１の全体図において、１１はアルニューム放熱筒放熱フィン溝に嵌め込む為の爪、１２は嵌め込み時にドライバーなどの工具を差し込み、落下防止装置１を広げる為の開口、１３は吊下げ・取り付け用穴であり、１４の部分には反りを持たせてあるので、取り付けボルト３１を締めつけていくと、爪１１が蛍光管形ＬＥＤ装置２のアルミニューム放熱筒２２のフィン溝２４ａ、２４ｂ、２４ｃ、に確りと締まる構造とした。【００１５】  図５、図６に示す半面解放長穴１５は３１の取り付けボルトを外さずに、落下防止装置１をスライドさせて、容易に締め付けることが出来る形状とした。【００１６】  落下防止装置１の１２の部分に接地端子ラグを締め付ける為のボルト１６を２箇所設けた。
【考案の効果】
【００１７】    図１示す如く、落下防止装置１により直管型蛍光灯照明器具３に蛍光管形ＬＥＤ装置２を堅固に固定出来るので、地震時にも有効で、完全な落下防止装置となる。同時に盗難防止装置としても役立つものとなる。【００１８】  図７において、蛍光灯照明器具カバー取り付ネジ３１を確りと締め付けることに加え接地端子用ボルト１６を利用して、直管型蛍光灯照明器具３に電線で接地することの二つの方法で、漏電による感電防止と電磁障害を軽減することも出来る。【００１９】  図９、図１０に示す如く、天井Ｔバー吊り下げ金具４と吊り下げリング５組み合わせて、直接天井に吊り下げる事が容易に出来るものとなる。【００２０】  それに加えて、蛍光管形ＬＥＤ装置２は蛍光管に比べて寿命が長く、直管型蛍光灯照明器具３が不要な場所や、取り替え難い場所や、特に狭い場所に本考案の落下防止装置１は有効である。【００２１】  図１２に示す如く、アルミニューム放熱筒の内部に点灯回路が内蔵されているので、直接ピンから電源供給が可能となり、直管型蛍光灯照明器具３を使わずに、縦、横、斜めに自由に堅固に取り付けが可能となる。
【考案を実施するための最良の形態】
【００２２】  本考案の落下防止装置１の素材は、ステンレス又は鋼板のバネ性を有するものを使用する。【００２３】  管型蛍光灯照明器具３を使用しないで蛍光管形ＬＥＤ装置２を点灯させる場合は、図１３に示す電源供給コネクターで電源供給をすればよい。
【実施例】
【００２４】  図１、図９、図１２に落下防止装置１の使用例を示した。
【産業上の利用可能性】
【００２５】  特になし。
【図面の簡単な説明】
【００２６】
【図１】蛍光管形ＬＥＤ装置を落下防止装置にて取り付けたところの図面
【図２】蛍光管形ＬＥＤ装置の詳細面図
【図３】落下防止装置の全体図
【図４】落下防止装置の側面図
【図５】落下防止装置の上部平面面
【図６】落下防止装置の下部平面図
【図７】照明器具に取り付け時の断面図詳細
【図８】間隔調整用落下防止装置の高さの異なる三種類の断面図
【図９】天井Ｔバーに直接吊り下げた時の取り付け図面
【図１０】天井Ｔバーに直接吊り下げた時の取り付け断面図
【図１１】吊り下げリング詳細図面
【図１２】ＬＥＤ照明装置を壁板に縦に取り付けた場合の図面
【図１３】電源供給コネクターによる直接電源供給図面
【符号の説明】
【００２７】１．落下防止装置
１１．アルニューム放熱筒放熱フィン溝に嵌め込む為の爪
１２．嵌め込み時にドライバーなどの工具で広げる為の開口
１３．吊下げ・取り付け用穴
１４．締め付けに有効な凹み
１５．半面解放長穴１
１６．接地端子用ボルト
２．ＬＥＤ照明装置本体
２１．ポリカボネート・カバー
２２．アルミニューム放熱筒
２３．発光ダイオード
２４ａ．アルミニューム放熱筒放熱フィン溝
２４ｂ．アルミニューム放熱筒放熱フィン溝
２４ｃ．アルミニューム放熱筒放熱フィン溝
２５．ＬＥＤ照明装置エンドキャップ
２６．ＬＥＤ照明装置電源供給ピン
３．直管型蛍光灯照明器具
３１．蛍光灯照明器具カバー取り付ボルト
４．天井Ｔバー用吊り下げ金物
４１．吊り下げ金物接続ボルトナット
５．吊り下げリング
６．Ｔバー      ７．天井ボード      ８．壁板
９１．接地極付き電源供給コネクター
９１ａ．接地極端子
９２．接地極付き電源プラグ
９３．電源ケーブル
ａ．照明器具とＬＥＤ照明装置の距離
１ａ．高さ（大）    １ｂ．高さ（中）    １ｃ．高さ（小）
【図１】
0003164438.tif 000003
【図２】
0003164438.tif 000004
【図３】
0003164438.tif 000005
【図４】
0003164438.tif 000006
【図５】
0003164438.tif 000007
【図６】
0003164438.tif 000008
【図７】
0003164438.tif 000009
【図８】
0003164438.tif 000010
【図９】
0003164438.tif 000011
【図１０】
0003164438.tif 000012
【図１１】
0003164438.tif 000013
【図１２】
0003164438.tif 000014
【図１３】
0003164438.tif 000015
【手続補正書】
【提出日】平成22年9月13日(2010.9.13)
【手続補正１】
【補正対象書類名】実用新案登録請求の範囲
【補正対象項目名】全文
【補正方法】変更
【補正の内容】
【実用新案登録請求の範囲】
【請求項１】
点灯回路内臓の蛍光管形ＬＥＤ照明装置において、そのアルミニューム放熱筒の放熱溝に嵌め込む為の爪１１有することを特徴とする落下防止装置。
【請求項２】
アルミニューム放熱筒の放熱溝にしっかりと食込ませる為、上部に凹み１４を持たせたことを特徴とする請求項１に記載の落下防止装置。
【請求項３】
アルミニューム放熱筒の放熱溝にスライドさせて、容易に取付けできる半面開放長穴１５を有すること特徴とする請求項１に記載の落下防止装置。
【請求項４】
接地端子用ボルト１６を有すること特徴とする請求項１に記載の落下防止装置。
【請求項５】
天井Ｔバー吊り下げリング５を差し込んで９０度回転すれば容易にロックできる形状の吊下げ・取り付け用穴１３を有することを特徴とする請求項１に記載の落下防止装置。